(57)【要約】【課題】番組検索や録画予約時のキーワード入力を容易かつ確実に行えるようにする。【解決手段】番組情報からキーワードを抽出し，キーワードを音声認識情報とともに登録した音声認識用辞書を生成し，音声認識用辞書の部分辞書を基にユーザ要求に応じてキーワードを画面表示し，画面表示したキーワードからの選択によりユーザは音声によりキーワード入力を行う。【効果】本発明のキーワード入力手段は、提示された中からキーワードを選択できるためキーワードを音声入力するときの入力発話が確実であり、かつ提示するキーワードの基となっている対象語彙数の少ない部分辞書を用いて入力判定を行うためユーザの音声入力に対して高い認識率が確保される。【選択図】図１
2006106451.tif 000002
【特許請求の範囲】
【請求項１】
音声認識用辞書の部分辞書に含まれるキーワードを画面表示し、部分辞書を用いてユーザの入力を判定するステップを有し、画面表示したキーワードの選択によりユーザがキーワードを音声入力することによりユーザが番組を選択するテレビ番組選択方法に用いる音声認識用部分辞書の生成方法であって、
処理装置において、入力された番組情報からキーワードを抽出するステップと、該抽出されたキーワードを、そのキーワードと関連付けられたジャンルに基づいて分類し、音声認識情報と共に、ジャンルごとに設けられる部分辞書を生成して記憶装置に格納される音声認識用辞書に登録するステップとを有することを特徴とする音声認識用部分辞書生成方法。
【請求項２】
ジャンルごとに設けられ、番組情報に関するキーワードを含む部分辞書を記憶装置から読み出して該部分辞書に含まれるキーワードを画面表示し、処理装置において該部分辞書を用いてユーザの入力を判定し、該ユーザの入力に基づいて番組の検索又は録画予約をするステップを有し、
前記ユーザの入力を判定するステップは、音声入力部からユーザによる音声入力を受け付けるステップと、前記画面表示したキーワードと前記ユーザによる音声入力とを照合することにより、前記ユーザの入力を判定することを特徴とするテレビ放送受信機のための音声入力方法。
【請求項３】
請求項１または２記載のキーワードを画面表示する手段において、ユーザプロファイルを参照し、ユーザの嗜好する順番にキーワードを表示する方法。
【発明の詳細な説明】
【技術分野】
【０００１】
本発明は，テレビ放送受信機における音声入力方法に関するものである。
【背景技術】
【０００２】
テレビ放送のデジタル化に伴い，ＥＰＧ（電子番組表）配信サービスが普及し，ＥＰＧを用いた番組検索や録画予約機能を備えたテレビ放送受信機が一般的になりつつある。
【０００３】
ＥＰＧを用いた番組検索や録画予約は，ユーザが入力したジャンル，出演者，キーワード等を基に行われる。ユーザが検索や録画に必要な情報を入力する際，サブジャンルを含むジャンル名や出演者名については，予め機器側が用意した単語群から選択することで入力が可能であるが，ジャンルや出演者以外のキーワードを入力する場合には，リモコンのボタンを用いて一文字ずつ入力して変換する方法が一般的である。しかし，そのような入力方法は操作が複雑であり，不慣れなユーザにとっては非常に使いにくい。
【０００４】
特許文献１はＥＰＧからキーワードを抽出し音声認識用辞書を生成し，ユーザが音声によりキーワードを入力する方法を提案している。
【０００５】
【特許文献１】特開2001-309257号公報
【発明の開示】
【発明が解決しようとする課題】
【０００６】
しかし，登録される語彙数が大量であるため，十分な音声認識率が確保できず，番組検索や録画予約時のキーワード入力が容易かつ確実に行えないという課題があった。
【課題を解決するための手段】
【０００７】
本発明は，番組検索や録画予約時のキーワード入力を容易に行えるようにするため，ＥＰＧからキーワードを抽出し，音声認識情報を含む辞書をキーワードの属するジャンルごと，五十音順などで適当な数ずつ含む部分辞書の集合として生成し，部分辞書ごとにその部分辞書に含まれるキーワードを画面表示してユーザに提示し，ユーザは提示された中からキーワードを選択して音声入力ができるようにすることを最も主要な特徴とする。
【発明の効果】
【０００８】
本発明のキーワード入力手段は，提示された中からキーワードを選択できるため，キーワードを音声入力するときの入力発話が確実であり，なおかつ提示するキーワードの基となっている，対象語彙数の少ない部分辞書を用いて入力判定を行うため，ユーザの音声入力に対して高い認識率が確保される。従って，ユーザが面倒な操作を行うことなく，容易かつ確実にキーワードの入力ができるという利点がある。
【発明を実施するための最良の形態】
【０００９】
以下，実施するための最良の形態について実施例を以って説明する。
【実施例１】
【００１０】
以下，本発明の実施例を図１〜図７を参照して説明する。
【００１１】
図１は本実施例の構成を説明する図である。全体構成は音声認識用辞書生成部１０１とキーワード音声入力部１０７から成る。全体構成は音声認識用辞書生成部１０１とキーワード音声入力部１０７とは、別個の計算機に具備されても、同一の計算機に具備されてもよい。
【００１２】
音声認識用辞書生成部１０１は，番組情報１０２を入力とし，番組情報格納部１０３，キーワード抽出部１０４，辞書登録部１０５から構成される。番組情報格納部１０３，キーワード抽出部１０４，辞書登録部１０５は、音声認識用辞書生成部１０１を構成する計算機の処理装置において、予め格納された専用プログラムを実行することにより実現される。番組情報格納部１０３は入力された番組情報１０２に含まれる情報を格納する。番組情報１０２は、例えば、音声認識用辞書生成部１０１がネットワークを介して接続されるサーバから文字列を含む電子データとして入力される。あるいは、ＣＤ−ＲＯＭなどの記憶媒体から読み込まれてもよい。キーワード抽出部１０４は格納された番組情報から形態素解析等の技術を用いてキーワードの抽出を行う。テキスト情報からのキーワード抽出技術に関しては，「Excelで学ぶテキストマイニング入門」（日経ＢＰ企画）他，一般的に広く知られている。辞書登録部１０５は抽出されたキーワードを読み仮名等の音声認識に必要な情報と共に音声認識用辞書１０６（記憶装置）に登録する。
【００１３】
一方，キーワード音声入力部１０７は，音声入力手段を持つ入力部１０８と，キーワード表示・入力判定部１０９（計算機の処理装置で実行される）により構成され，ユーザの音声によるキーワードの入力に対し，音声認識辞書生成部１０１が生成した音声認識辞書１０６の参照により，ユーザのキーワード入力と合致する音声認識辞書内のキーワードを検出し，検出したキーワードを表すテキストやコードナンバーなどの電子データであるキーワード情報１１０を番組検索や録画予約を行うための制御部へ出力する。
【００１４】
図２は，音声認識用辞書（図１の１０６）の構造について説明する図である。ジャンル名をインデックスとし，各ジャンルに対し，ある個数（図２においてはＮ個）ごとの部分辞書にキーワードが登録されている。図２の２０１，２０２，２０３，２０４は部分辞書の例である。
【００１５】
以下，図３〜７を用いて処理手順を説明する。
図３は，音声認識用辞書生成部の処理方式について説明する図である。配信された番組情報（図１の１０２）に対し，ステップ３０１において番組名，ジャンル名，出演者，放送日時，放送局，番組内容等の番組に関する情報を格納する。配信される番組情報には、番組名，ジャンル名，出演者，放送日時，放送局，番組内容等の番組に関する情報が、共通のフォーマットで含まれているものとする。ステップ３０１の処理は図１の番組情報格納部１０３における処理を表す。ステップ３０１の後，キーワード抽出処理３０２及び辞書登録処理３０３を行う。
【００１６】
図４は図３におけるキーワード抽出処理３０２の処理方法について説明する図である。図３のステップ３０１において格納された各番組情報に対し，ステップ４０１において，形態素解析によるテキスト分析を行い、テキストに含まれる全ての単語のリストを出力する。形態素解析によるテキスト分析については，前述の特許文献１にある方法等が知られている。ステップ４０２ではステップ４０１の分析結果である単語リストから，出演者名，スポーツ等のチーム名，番組名，その他一般的な名詞等，キーワードとなる単語を選択する。ステップ４０３においてはステップ４０２で選択した全てのキーワードと，キーワード選択元である番組の番組情報を参照して得られるジャンル名とからなる，キーワードのリストとジャンル名の組を出力する。
【００１７】
図５は図３における辞書登録処理３０３の処理方法について説明する図である。ステップ５０１において，図３のキーワード抽出処理３０２によって得られたキーワードのリストに含まれる全てのキーワードに対し，キーワード抽出処理３０２で得られたジャンル（ジャンル名Ａとする）の部分辞書の集合を探索する。音声認識用辞書は，ジャンルごとに五十音順などで適当な個数ずつ分割したキーワードの部分集合から成る部分辞書の集合として構成されている（図２参照）。即ち，各ジャンルに対して部分辞書の集合が対応付けられる。各ジャンルの部分辞書には順序付けがされている。各キーワードはそのキーワードの読み仮名情報と共に部分辞書に登録されている。ステップ５０２における探索の結果，対象キーワードがジャンルＡの全ての部分辞書に存在しない場合，ステップ５０２において，ジャンルＡ以外のジャンルの部分辞書を探索する。探索の結果，ジャンルＡ以外のジャンル（Ｂとする）の部分辞書にキーワードが含まれている場合，ステップ５０３において，ジャンルＢの部分辞書にそのキーワードと共に登録されている読み仮名情報とキーワードをジャンルＡの部分辞書に登録する。対象キーワードがジャンルＡ以外のあらゆるジャンルの全ての部分辞書にも含まれていない場合，ステップ５０４において，キーワードに対する読み仮名情報を生成する。テキストからの読み仮名生成は，特開平８−３０２８７号公報、特開平８−９５５９７号公報等に記載の、テキストを読み上げるテキストツースピーチ（ＴＴＳ；Ｔｅｘｔ  Ｔｏ  Ｓｐｅｅｃｈ）の技術を用いて、認識する対象を表すテキストから自動的に、当該対象を発音した発音データを生成する方法等を用いることができる。ステップ５０５において，キーワードとステップ５０４で生成した読み仮名情報をジャンルＡの部分辞書に登録する。
【００１８】
図６はキーワード音声入力部の処理方式について説明する図である。処理は入力部（図１の１０８）からユーザの入力があった場合にその入力に応じて行う。ユーザの入力はキーワード入力をしたいことを伝える入力要求指示の入力，入力したいキーワードが属するジャンルを決定するための入力，画面の切り替えを要求する指示のための入力（ここまでの入力は、音声入力に限らず、ボタンなどによる入力でもよい），キーワードの音声による入力に大別される（図６の６０６）。ユーザから検索キーとしてや録画予約のためのキーワード入力を要求する入力があった場合，ステップ６０１においてジャンル選択指示画面を表示する。ここでは、部分辞書の分類の名前であるジャンル名を表示して、そのなかからユーザに選択させるようにする。ユーザからジャンルを指定する入力があった場合，ステップ６０２において指定されたジャンルに対する第一の部分辞書に含まれるキーワードを画面に表示する。ジャンルを指定する入力は音声入力でなくてもよいが、音声入力とする場合には、ステップ６０１で表示するジャンル名とその読み仮名情報を格納したジャンル辞書を記録媒体に保持しておき，画面表示されたジャンル名を読み上げることでユーザが音声入力したジャンル名とジャンル辞書を照合し，入力されたジャンルを判定する。各ジャンルに対応する部分辞書の集合に対しては，集合内の部分辞書に対し順序付けがなされているため，ステップ６０２においては，対象となるジャンルの部分辞書のうち，第一番目の部分辞書に含まれるキーワードを表示する。図２の２０１はジャンルＸの第一の辞書を示している。ユーザから画面のスクロールやジャンル選択画面等への画面切り替え指示入力があった場合，処理６０３において適切な画面への切り替えを行い、キーワードの音声入力の待ち受けに入る。ユーザがキーワードの発声を終えて、キーワードを決定する入力があった場合，ステップ６０４においては，決定するキーワードを含む画面表示の基である部分辞書を用いて入力されたキーワードの判定を行う。キーワードの判定では，ユーザが入力したキーワードと入力の基である部分辞書内のキーワードの読み仮名情報とを照合し，それらが合致するキーワードの抽出を行う。ステップ６０５において，ステップ６０４で判定された結果得られたキーワードの情報を出力する。
【００１９】
図７は図６における画面表示処理６０３の処理を説明する図である。処理は図６の６０６の画面切替指示における切替後の画面の表示指示内容に従って行われる。表示指示された画面が前のキーワード表示画面である場合には，ステップ７０１において対象ジャンルの一つ前の部分辞書に含まれるキーワードを表示する。例えば，現在表示しているキーワード表示画面の基になっている部分辞書が図２における２０３である場合，部分辞書２０２のキーワードを表示する。表示指示された画面が次のキーワード表示画面である場合には，ステップ７０２において対象ジャンルの一つ後の部分辞書に含まれるキーワードを表示する。例えば，現在表示しているキーワード表示画面が図２０３の部分辞書を基としている場合には，部分辞書２０４のキーワードを表示する。表示指示された画面が上記のどちらでもない場合は，ステップ７０３において指示に従った画面を表示する。
【００２０】
図８はキーワード表示画面例を説明する図である。指定されたジャンルに属するキーワードを部分辞書ごとに表示する。部分辞書をユーザプロファイルからユーザの嗜好する順番でキーワードを登録するよう生成することにより，ユーザ嗜好順にキーワードを表示することもできる。ユーザは表示されたキーワードの中から入力したいキーワードを選択し，音声により入力を行う。
【図面の簡単な説明】
【００２１】
【図１】本発明の構成を説明する図である。
【図２】音声認識用辞書の構成を説明する図である。
【図３】音声認識用辞書生成処理方式を説明する図である。
【図４】キーワード抽出処理方式を説明する図である。
【図５】辞書登録処理方式を説明する図である。
【図６】キーワード音声入力処理方式を説明する図である。
【図７】画面切替処理方式を説明する図である。
【図８】キーワード表示画面の一例を示す図である。
【符号の説明】
【００２２】
１０１  音声認識用辞書生成部、１０２  番組情報、１０３  番組情報格納部、１０４  キーワード抽出部、１０５  辞書登録部、１０６  音声認識用辞書、１０７  キーワード音声入力部、１０８  入力部、１０９  キーワード表示・入力判定部、１１０  キーワード情報、
２０１，２０２，２０３，２０４  音声認識用辞書の部分辞書
３０２  キーワード抽出処理、３０３  辞書登録処理、６０３  画面切替処理。
【図１】
2006106451.tif 000003
【図２】
2006106451.tif 000004
【図３】
2006106451.tif 000005
【図４】
2006106451.tif 000006
【図５】
2006106451.tif 000007
【図６】
2006106451.tif 000008
【図７】
2006106451.tif 000009
【図８】
2006106451.tif 000010